(57)【要約】【課題】動力伝達される複数の駆動系を独立して正逆転できるようにし、各々の駆動系の動作タイミング等の設定を容易にし、各駆動系の動力伝達状態を確実に保持できるようにする。【解決手段】本発明の動力伝達切替保持装置１は単一の駆動源３１を使用して複数の駆動系３２、３３を個別に動作させる動力伝達切替え手段３４と、切り替えた駆動系３２、３３の動力伝達状態を保持する動力伝達保持手段３５とを備え、動力伝達切替え手段３４は、駆動源３１の正逆転動作に連動して揺動する揺動アーム５０と、該揺動アーム５０に軸支され、駆動源３１の回転を各駆動系３２、３３に伝達する遊星ギア５１、５２、５３とを備え、動力伝達保持手段３５は既存の他の駆動部から動力が伝達されて揺動アーム５０の動きを規制する規制部材５５を備えている。【選択図】図２
2008173940.tif 000002
【特許請求の範囲】
【請求項１】
単一の駆動源を使用して複数の駆動系を個別に動作させる動力伝達切替え手段と、
該動力伝達切替え手段によって切り替えた駆動系の動力伝達状態を保持する動力伝達保持手段とを備え、
前記動力伝達切替え手段は、前記駆動源の正逆転動作に連動して揺動する揺動アームと、該揺動アームに軸支され前記駆動源の回転をそれぞれの駆動系に伝達する遊星ギアとを備え、
前記動力伝達保持手段は、既存の他の駆動部から動力が伝達されて前記揺動アームの動きを規制する規制部材を備えていることを特徴とする動力伝達切替保持装置。
【請求項２】
請求項１に記載の動力伝達切替保持装置において、前記動力伝達切替え手段は、
前記駆動源の出力軸に取り付けられるピニオンギアと噛み合う中間ギアと、
該中間ギアの回転軸を揺動中心として揺動する前記揺動アームと、
該揺動アームに配設され隣同士互いに噛み合う遊星ギア群とを備え、
前記遊星ギア群を構成する一つの遊星ギアが前記中間ギアから動力が伝達され、他の遊星ギアが前記複数の駆動系のそれぞれの入力ギアと各別に噛み合うことを特徴とする動力伝達切替保持装置。
【請求項３】
請求項１または２に記載の動力伝達切替保持装置において、
前記揺動アームの揺動自由端側に前記規制部材の一部に当接保持されるホールドアームが設けられていることを特徴とする動力伝達切替保持装置。
【請求項４】
請求項１〜３のいずれか１項に記載の動力伝達切替保持装置において、
前記規制部材は摺動及び揺動自在に設けられているホールドプレートを備え、
該ホールドプレートは、前記複数の駆動系の動力伝達状態を各別に保持する複数の保持部と、前記他の駆動部に当接される被当接部とを備えていることを特徴とする動力伝達切替保持装置。
【請求項５】
請求項４に記載の動力伝達切替保持装置において、
前記ホールドプレートは、前記複数の駆動系の動力伝達状態を各別に保持する際の各姿勢を付勢保持する付勢保持手段を備えていることを特徴とする動力伝達切替保持装置。
【請求項６】
被記録材を自動的に給送する自動給送系と記録ヘッドに付着したインクを強制吸引して除去するインク吸引系との２つの駆動系を切り替えることによって単一の駆動モータを使用して前記２つの駆動系を個別に動作させる動力伝達切替え手段と、該動力伝達切替え手段によって切り替えた駆動系の動力伝達状態を保持する動力伝達保持手段とを有する動力伝達切替保持装置と、
ホッパとの協働によって被記録材を給送する給送用ローラを有する自動給送装置とを備え、
前記給送用ローラは断面形状が円形の円形ローラであり、
前記動力伝達切替保持装置は請求項１〜５のいずれか１項に記載の動力伝達切替保持装置であることを特徴とする記録装置。
【請求項７】
請求項６に記載の記録装置において、
前記動力伝達保持手段はキャリッジの一部に当接されることによって動力が伝達されて前記揺動アームの動きを規制する規制部材を備えていることを特徴とする記録装置。
【請求項８】
被液体噴射材を自動的に給送する自動給送系と液体噴射ヘッドに付着した液体を強制吸引して除去する液体吸引系との２つの駆動系を切り替えることによって単一の駆動モータを使用して前記２つの駆動系を個別に動作させる動力伝達切替え手段と、該動力伝達切替え手段によって切り替えた駆動系の動力伝達状態を保持する動力伝達保持手段とを有する動力伝達切替保持装置と、
ホッパとの協働によって被液体噴射材を給送する給送用ローラを有する自動給送装置とを備え、
前記給送用ローラは断面形状が円形の円形ローラであり、
前記動力伝達切替え手段は、駆動源の正逆転動作に連動して揺動する揺動アームと、該揺動アームに軸支され、駆動源の回転をそれぞれの駆動系に伝達する遊星ギアとを備え、
前記動力伝達保持手段はキャリッジの一部に当接されることによって動力が伝達されて前記揺動アームの動きを規制する規制部材を備えていることを特徴とする液体噴射装置。
【発明の詳細な説明】
【技術分野】
【０００１】
本発明は、単一の駆動源を使用して複数の駆動系を個別に動作させる動力伝達切替え手段と、該動力伝達切替え手段によって切り替えた駆動系の動力伝達状態を保持する動力伝達保持手段とを備える動力伝達切替保持装置及び該動力伝達切替保持装置を備えた記録装置に関する。
【０００２】
更に、本発明は、インク等の液体をそのヘッドから吐出（噴射）して被記録材（被液体噴射材）に記録を実行する（液体を付着する）インクジェット式記録装置などの液体噴射装置及び該液体噴射装置に対して設けられる動力伝達切替保持装置に関するものである。
【０００３】
ここで液体噴射装置とは、インクジェット式記録ヘッドが用いられ、該記録ヘッドからインクを吐出して被記録材に記録を行なうプリンタ、プロッタ、複写機及びファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００５】
以下、液体噴射装置、記録装置の一例であるインクジェットプリンタを例に採って説明する。インクジェットプリンタには、用紙を１枚ずつ自動的に給送する自動給送系と記録ヘッドに付着したインクを強制吸引して除去するインク吸引系の２つの駆動系が設けられている。そして、これらの駆動系に単一の駆動モータから動力が伝えられ、上記駆動モータの動力を動力伝達切替え手段によって上記自動給送系とインク吸引系とに振り分けて選択的に伝達するように構成されているものがある。
【０００６】
動力伝達切替え手段として一般的には、自動給送装置に組み込まれた図１３、図１４に示すようなクラッチ機構１０１が使用されていた。この自動給送装置では給送用ローラの回転軸を正転方向に一回転させる間に一連の動作を実行しなければならない。また、上記一連の動作を実行するためには、駆動モータを単に正転方向に回転させるだけではクラッチ１０３の連結を解除できず、一旦、駆動モータを逆転させ、トリガーレバー１０５をクラッチ１０３側に回転させてクラッチ１０３の連結を解除し、再び正転させる必要があった。しかし、このようなクラッチ機構１０１を使用した動力伝達切替え手段は、上述のように給送用ローラの回転軸を正転方向に一回転させる間に一連の動作を実行しなければならず、クラッチ１０３を３６０°回転させるとクラッチ１０３の連結状態がリセットされる等、クラッチ軸の正逆転時の動作の制約が多かった。また、クラッチ１０３の連結を解除し、駆動モータの動力をインク吸引系に切り替える際の動作タイミングの制御等も複雑になっていた。
【０００７】
また、動力伝達切替え手段として正逆転時の動作の制約が少ない遊星ギアを使用した機構も下記の特許文献１に示すように一部では試みられている。しかし、遊星ギアを使用した機構では各駆動系への動力伝達状態が不安定になり易く、切り替えた駆動系の動力伝達状態を別途保持する動力伝達保持手段が必要になってくる。そこで、特許文献１では該動力伝達保持手段として上記駆動モータとは別の専用駆動部であるソレノイドを備え、更に該ソレノイドから突出するプランジャと、該プランジャによって押圧されて移動する係止突起部と、該係止突起部と係止する係止切り欠き部等の部材を備えた構成が開示されている。
【０００８】
しかし、このような構成の動力伝達保持手段は、専用駆動部を必要とするため部品点数が多くなり、更にソレノイドの動作タイミングを制御する等の別途の制御が必要になり、コストの削減を図る上においても障害になっていた。この他、給送用ローラは断面形状がＤ字形のＤ型ローラが使用されており、用紙給送時以外はＤ型ローラ周面の平坦部が用紙側に位置する待機姿勢を採るように構成されていた。そして、Ｄ型ローラが待機姿勢にある時を利用して紙戻しレバーを動作させて重送されてきた後続の用紙を給送トレイ側に押し戻すようにしていた。尚、上記紙戻し動作も給送用ローラが正転方向に一回転する間に実行されており、紙戻しレバーの動作タイミングや動作範囲を設定する自由度も狭めていた。
【特許文献１】特開２０００−２７２１４５号公報
【発明の開示】
【発明が解決しようとする課題】
【０００９】
本発明は、このような問題点の存在を踏まえてなされたものであって、動力伝達される複数の駆動系を独立して自由に正逆転でき、各々の駆動系の動作タイミングや動作範囲の設定を容易に行え、切り替えた後の各駆動系の動力伝達状態を確実に保持することのできるコンパクトで低コスト、且つ動作安定性に優れた動力伝達切替保持装置及び該動力伝達切替保持装置を備えた記録装置等を提供することを課題とするものである。
【課題を解決するための手段】
【００１０】
上記課題を解決するために本発明の第１の態様に係る動力伝達切替保持装置は、単一の駆動源を使用して複数の駆動系を個別に動作させる動力伝達切替え手段と、該動力伝達切替え手段によって切り替えた駆動系の動力伝達状態を保持する動力伝達保持手段とを備え、前記動力伝達切替え手段は、前記駆動源の正逆転動作に連動して揺動する揺動アームと、該揺動アームに軸支され前記駆動源の回転をそれぞれの駆動系に伝達する遊星ギアとを備え、前記動力伝達保持手段は、既存の他の駆動部から動力が伝達されて前記揺動アームの動きを規制する規制部材を備えていることを特徴とするものである。
【００１１】
本発明の第１の態様によれば、動力伝達切替え手段として遊星ギアを使用することで動力伝達される複数の駆動系を独立して自由に正逆転させることができる。それにより、上記駆動系の正逆転時における制約が少なくなるため各々の駆動系の動作タイミングや動作範囲の設定の自由度が拡大する。また、既存の他の駆動部から動力が伝達されて動作する規制部材によって揺動アームの動きが規制されるため、ソレノイド等の専用駆動部を設けることなく、切り替えた後の各駆動系の動力伝達状態を確実に保持することができる。
【００１２】
本発明の第２の態様に係る動力伝達切替保持装置は、前記第１の態様において、前記動力伝達切替え手段は、前記駆動源の出力軸に取り付けられるピニオンギアと噛み合う中間ギアと、該中間ギアの回転軸を揺動中心として揺動する前記揺動アームと、該揺動アームに配設され隣同士互いに噛み合う遊星ギア群とを備え、前記遊星ギア群を構成する一つの遊星ギアが前記中間ギアから動力が伝達され、他の遊星ギアが前記複数の駆動系のそれぞれの入力ギアと各別に噛み合うことを特徴とするものである。
【００１３】
本発明の第２の態様によれば、遊星ギア群からなるギア輪列と１つの中間ギアとによってピニオンギアの回転をロスなく複数の駆動系に選択的に伝達することができる。また揺動アームの揺動中心を中間ギアの回転軸と一致させることによって揺動アームの円滑な揺動と、上記遊星ギア群による円滑な動力伝達が実行される。
【００１４】
尚、前記動力伝達切替え手段は、前記駆動源の出力軸に取り付けられるピニオンギアと噛み合う中間ギアと、該中間ギアの回転軸を揺動中心として揺動する前記揺動アームと、該揺動アームに対して直列的に配設され隣同士互いに噛み合う直列遊星ギア群とを備え、前記直列遊星ギア群を構成する一端側の遊星ギアが前記中間ギアから動力が伝達され、他端側の遊星ギアが前記複数の駆動系のそれぞれの入力ギアと各別に噛み合う構成とするのがよい。  
このように、直列遊星ギア群の端に位置する各遊星ギアが前記中間ギアと入力ギアにそれぞれ噛み合う構成にすると、隣のギアに換えるだけで、正転及び逆転の切り換えが可能であり、また、それぞれのギアの比を換えることで、ギア比を簡単に変更できる。
【００１５】
本発明の第３の態様に係る動力伝達切替保持装置は、前記第１または第２の態様において、  前記揺動アームの揺動自由端側に前記規制部材の一部に当接保持されるホールドアームが設けられていることを特徴とするものである。
【００１６】
本発明の第３の態様によれば、揺動アームにホールドアームを設けるだけの比較的簡単な構成によって揺動アームの円滑な揺動に支障を来たすことなく、規制部材を揺動アームに作用させて切り替えた後の各駆動系の動力伝達状態を確実に保持して各駆動系の一連の動作を安定させることができる。
【００１７】
本発明の第４の態様に係る動力伝達切替保持装置は、前記第１〜第３のいずれか１つの態様において、前記規制部材は摺動及び揺動自在に設けられているホールドプレートを備え、該ホールドプレートは、前記複数の駆動系の動力伝達状態を各別に保持する複数の保持部と、前記他の駆動部に当接される被当接部とを備えていることを特徴とするものである。
【００１８】
本発明の第４の態様によれば、独立した他の専用の駆動源を設けることなく、保持部と被当接部を備えるだけの極めて簡単な構成の単一の部材によって規制部材を構成することができる。従ってコンパクトで低コスト、且つ動作安定性に優れる動力伝達保持手段を実現することが可能になる。
【００１９】
本発明の第５の態様に係る動力伝達切替保持装置は、前記第４の態様において、前記ホールドプレートは、前記複数の駆動系の動力伝達状態を各別に保持する際の各姿勢を付勢保持する付勢保持手段を備えていることを特徴とするものである。  
本発明の第５の態様によれば、例えば２安定バネ等の付勢保持手段によって、簡単且つ確実にホールドプレートの前記各姿勢を保持することができる。
【００２０】
本発明の第６の態様に係る記録装置は、被記録材を自動的に給送する自動給送系と記録ヘッドに付着したインクを強制吸引して除去するインク吸引系との２つの駆動系を切り替えることによって単一の駆動モータを使用して前記２つの駆動系を個別に動作させる動力伝達切替え手段と、該動力伝達切替え手段によって切り替えた駆動系の動力伝達状態を保持する動力伝達保持手段とを有する動力伝達切替保持装置と、ホッパとの協働によって被記録材を給送する給送用ローラを有する自動給送装置とを備え、前記給送用ローラは断面形状が円形の円形ローラであり、前記動力伝達切替保持装置は前記第１〜第４のいずれか１つの態様の動力伝達切替保持装置であることを特徴とするものである。
【００２１】
本発明の第６の態様によれば、動力伝達切替え手段として遊星ギアを使用することで動力伝達される自動給送系とインク吸引系の２つの駆動系を独立して自由に正逆転できるようにし、各々の駆動系の動作タイミングや動作範囲の設定を容易に行うことが可能になる。また、規制部材を設けることで揺動アームの動きが規制されるため、切り替えた後の各駆動系の動力伝達状態を確実に保持して記録品質の向上を図ることができる。また、動力伝達切替え手段として遊星ギアを使用することで給送用ローラを逆転させることが可能になるため、給送用ローラを円形ローラにして重送時の後続の被記録材の戻し作用を給送用ローラによって実行させることが可能になる。従って、既設の戻しレバーや該戻しレバーを駆動するためのカム機構等の構成を省略することが可能になる。
【００２２】
本発明の第７の態様に係る記録装置は、前記第６の態様において、前記動力伝達保持手段はキャリッジの一部に当接されることによって動力が伝達されて前記揺動アームの動きを規制する規制部材を備えていることを特徴とするものである。
【００２３】
本発明の第７の態様によれば、規制部材を動作させるための駆動源として既設のキャリッジを利用しているから、独立した他の専用駆動部を設けることなく、規制部材を動作させて自動給送系とインク吸引系のそれぞれの動力伝達状態を選択して確実に保持することができる。また、キャリッジがホームポジションに戻った時にインク吸引動作が実行されるため、キャリッジを駆動源として利用した場合には規制部材の形状や配置の設定も容易になる。
【００２４】
本発明の第８の態様に係る液体噴射装置は、被液体噴射材を自動的に給送する自動給送系と液体噴射ヘッドに付着した液体を強制吸引して除去する液体吸引系との２つの駆動系を切り替えることによって単一の駆動モータを使用して前記２つの駆動系を個別に動作させる動力伝達切替え手段と、該動力伝達切替え手段によって切り替えた駆動系の動力伝達状態を保持する動力伝達保持手段とを有する動力伝達切替保持装置と、ホッパとの協働によって被液体噴射材を給送する給送用ローラを有する自動給送装置とを備え、前記給送用ローラは断面形状が円形の円形ローラであり、前記動力伝達切替え手段は、駆動源の正逆転動作に連動して揺動する揺動アームと、該揺動アームに軸支され、駆動源の回転をそれぞれの駆動系に伝達する遊星ギアとを備え、前記動力伝達保持手段はキャリッジの一部に当接されることによって動力が伝達されて前記揺動アームの動きを規制する規制部材を備えていることを特徴とするものである。
【発明を実施するための最良の形態】
【００２５】
以下、本願発明に係る動力伝達切替保持装置及び該動力伝達切替保持装置を自動給送系とインク吸引系の２つの駆動系の切り替えに使用した液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２６】
図１はインクジェットプリンタの内部構造の概略を示す側断面図である。図示のインクジェットプリンタ１００は、液体噴射装置本体、そして記録装置本体の一例であるプリンタ本体３を備え、該プリンタ本体３の後部寄りの上部に自動的に被液体噴射材の一例である被記録材（以下用紙ともいう）Ｐを連続して１枚ずつ給送することができる自動給送系の駆動系を構成する自動給送装置２が設けられている。自動給送装置２は、複数枚の用紙Ｐを積畳状態で載置し得る給送トレイ５と、該給送トレイ５上に積畳された用紙Ｐを給送用ローラ１４に向けて押し上げるホッパ１６と、該ホッパ１６との協働（挟圧送り作用）によって給送用トレイ５上の上位の用紙Ｐをピックアップする給送用ローラ１４と、重送されて送られてきた複数枚の用紙Ｐを記録の実行に使用する最上位の用紙Ｐと、記録の実行に使用しない後続の用紙Ｐとに分離する分離手段１７とを備えている。
【００２７】
尚、本発明では給送用ローラ１４として断面形状が円形の円形ローラが使用されており、該給送用ローラ１４の回転軸１８は正逆転できるように構成されている。具体的には給送用ローラ１４は用紙Ｐを給送する際は正回転し、上記分離手段によって分離された後続の用紙Ｐを給送トレイ５に戻す際には逆回転するようになっている。従って、重送された後続の用紙Ｐを給送トレイ５に戻すために設けられていた戻しレバーや該戻しレバーを駆動するためのカム機構等は本発明の記録装置１００には設けられていない。
【００２８】
また、上記給送用トレイ５には、用紙Ｐの左右のエッジに当接して用紙Ｐの給送方向に用紙Ｐを案内する図示しないエッジガイドが設けられている。ホッパ１６は上端部の揺動支点を中心に揺動自在に設けられており、給送用ローラ１４の回転軸１８の回転と連動して下端部側を上下動し得るように構成されている。また、給送用ローラ１４の用紙搬送方向の下流には、上下一対のニップローラによって構成されている搬送用ローラ１９が設けられており、該搬送用ローラ１９によって搬送された用紙Ｐは下流に位置する記録ポジション２６に導かれるようになっている。
【００２９】
記録ポジション２６の上方には、用紙Ｐに液体の一例であるインクを吐出して直接記録を実行する液体噴射ヘッドの一例である記録ヘッド１３が設けられている。一方、記録ポジション２６の下方には、用紙Ｐの下面を支持するプラテン２８が設けられている。尚、該プラテン２８は、記録品質に重要に関係する上記記録ヘッド１３との間のギャップＰＧを規定する役割を担っている。また記録ヘッド１３はプリンタ本体３の幅方向に往復動するキャリッジ１０の下面に搭載されており、該キャリッジ１０はプリンタ本体３の幅方向に架け渡された図示しないキャリッジガイド軸によって案内され、同じくプリンタ本体３の幅方向に張設されたループ状の図示しない無端ベルトからの駆動力を受けて往復動し得るようになっている。
【００３０】
キャリッジ１０は、ホームポジションと、該ホームポジションの左側の記録実行領域との間を往復動できるように構成されており、キャリッジ１０のホームポジションの下方には記録ヘッド１３のヘッド面１３ａに当接して図示しないノズル孔内に付着したインクを強制吸引して除去するインク吸引系の駆動系を構成するインク吸引装置６が設けられている。尚、このインク吸引装置６は記録ヘッド１３のヘッド面１３ａに密着状態で当接するキャップ７と、図示しない吸引ポンプと、キャップ７の側傍に設けられるワイパー８とを備えている。また、上記自動給送系とインク吸引系の２つの駆動系の駆動源は単一の駆動モータ３１によって構成されており、該駆動モータ３１の動力は後述する本発明の動力伝達切替保持装置１を介してそれぞれの駆動系に選択的に伝達されるようになっている。
【００３１】
また、記録ポジション２６の用紙搬送方向の下流には上記搬送用ローラ１９と同様、一対のニップローラによって構成されている排出用ローラ２０が設けられている。そして、該排出用ローラ２０によって排出された用紙Ｐは、図示しない被液体噴射材受け部の一例である排出用スタッカの載置面上に排出され積畳されるようになっている。
【００３２】
［実施例］
次に、このようにして構成されるインクジェットプリンタ１００における自動給送系とインク吸引系の２つの駆動系の切り替えに使用される本発明の動力伝達切替保持装置１について図面に基づいて具体的に説明する。
【００３３】
図２は動力伝達切替保持装置１の全体の構成を示す斜視図、図３は動力伝達切替保持装置１の動力伝達切替え手段周辺を拡大して示す斜視図である。図４はインク吸引系の駆動系に動力が伝達された状態を示す動力伝達切替え手段周辺の側断面図、図５は自動給送系の駆動系に動力が伝達された状態を示す動力伝達切替え手段周辺の側断面図である。図６は動力伝達保持手段周辺を拡大して示す正面図、図７は動力伝達保持手段周辺を拡大して示す背面図である。図８は動力伝達切替保持装置の作動状態を模式的に示す自動給送時の正面図（ａ）と側断面図（ｂ）、図９は同上、記録実行時の正面図（ａ）と側断面図（ｂ）である。また図１０は同上、インク吸引時の正面図（ａ）と側断面図（ｂ）、図１１は同上、ワイピング及び空吸引時の正面図（ａ）と側断面図（ｂ）、図１２は同上、紙戻し時の正面図（ａ）と側断面図（ｂ）である。
【００３４】
本発明の動力伝達切替保持装置１は、単一の駆動源３１を使用して複数の駆動系３２、３３を個別に動作させる動力伝達切替え手段３４と、該動力伝達切替え手段３４によって切り替えた駆動系３２、３３の動力伝達状態を保持する動力伝達保持手段３５とを備えている。そして、図示の実施例では単一の駆動源３１は単一の駆動モータ３１（駆動源３１と同一の符号を使用する）によって構成されており、複数の駆動系３２、３３は自動給送系３２とインク吸引系３３の２つの駆動系３２、３３によって構成されている。
【００３５】
また、駆動モータ３１は正逆転可能に構成されており、該駆動モータ３１の出力軸３６にはピニオンギア３７が取り付けられている。そして、ピニオンギア３７の回転は大径ギア３８と小径ギア３９の複合ギアによって構成されている中間ギア４０の大径ギア３８に伝達されるようになっており、上記小径ギア３９から動力伝達切替え手段３４に動力が伝達されるようになっている。また、自動給送系３２には給送用ローラ１４を回転させるためのギア輪列が構成されており、該ギア輪列は大径ギア４１と小径ギア４２の複合ギアによって構成されている入力ギア４３と、上記入力ギア４３の小径ギア４２と噛み合う中継ギア４４と、該中継ギア４４と噛み合う出力ギア４５とを備えることによって構成されている。尚、該出力ギア４５は前記給送用ローラ１４の回転軸１８のホームポジション側の端部に取り付けられている。
【００３６】
一方、インク吸引系３３には、図示しない吸引ポンプに動力を伝えるためのギア輪列が形成されており、該ギア輪列の入力側の最初の位置に大径ギア４６と小径ギア４７の複合ギアによって構成されている入力ギア４８が設けられている。
【００３７】
動力伝達切替え手段３４は、上記駆動モータ３１の正逆転動作に連動して揺動運動する揺動アーム５０と、該揺動アーム５０に軸支され、上記駆動モータ３１の回転を２つの駆動系３２、３３に伝達する３枚の遊星ギア５１、５２、５３とを備えている。揺動アーム５０は中間ギア４０の回転軸を揺動中心Ｏとして揺動する側面視長板形状の平板状の部材である。そして、揺動アーム５０には揺動中心Ｏ側から順番に中間ギア４０の小径ギア３９と噛み合う第１ギア５１、該第１ギア５１と噛み合う第２ギア５２、該第２ギア５２と噛み合い、上記自動給送系３２の入力ギア４３ないし上記インク吸引系３３の入力ギア４８と各別に噛み合う第３ギア５３の３枚の遊星ギアが直列的に配置されている。尚、上記第３ギア５３は大径ギア７０と小径ギア７１の複合ギアによって構成されており、このうち大径ギア７０が上記第２ギア５２及び上記駆動系３３における入力ギア４８とそれぞれ噛み合い、小径ギア７１が上記駆動系３２における入力ギア４３と噛み合うようになっている。
【００３８】
また、揺動アーム５０の揺動自由端側の一部は、外方に向けて庇状に折り曲げられており、庇状に折り曲げられた部分は更に揺動アーム５０の揺動自由端延長線上に向けて延長形成されホールドアーム５４になっている。ホールドアーム５４は逆への字状に屈曲された幅狭の平板形状を有しており、ホールドアーム５４の先端部が後述する規制部材として機能するホールドプレート５５の２つの保持部５６、５７に当接ないし係止されて保持されるようになっている。また、動力伝達保持手段３５は既存の他の駆動部により駆動される前記キャリッジ１０に当接ないし係止されることによって動力が伝達されて上記揺動アーム５０の動きを規制する規制部材として機能するホールドプレート５５を備えている。
【００３９】
ホールドプレート５５は、キャリッジ１０の背面側に設けられる支持プレート５８によってプリンタ本体３の幅方向に摺動自在で、上下方向に揺動自在な状態で支持されている。またホールドプレート５５は平板状の部材を断面Ｌ字状に折り曲げることによって形成されており、上記支持プレート５８とキャリッジ１０の背面に沿う垂直部上部の左右の端部に支持プレート５８側に突出する２本の係合ピン５９、６０を有している。尚、これらの係合ピン５９、６０は上記支持プレート５８に形成されているへの字状に屈曲した係合長穴６６と、直線状の係合長穴６７とに係合し、左右方向に摺動することでホールドプレート５５の水平姿勢と傾斜姿勢の切り替えを行うことができるようになっている。
【００４０】
また、垂直部の右端側には横Ｕ字溝状の自動給送系側の保持部５６を挟んでその下方に上下に２つの案内傾斜面６１、６２が形成されたフック部６３が設けられている。また、上記フック部６３の下端面がインク吸引系側の保持部５７になっている。また、垂直部の左端側には図６、図７中、実線で示すホールドプレート５５の水平姿勢と、図６、図７中、仮想線で示す傾斜姿勢との２つの姿勢を安定保持することができる付勢保持手段である２安定バネ６４が設けられている。尚、この２安定バネ６４は２本の捩りコイルバネを連結板６５によって連結することによって構成されている。
【００４１】
上記ホールドプレート５５の垂直部の下端縁は、キャリッジ１０側に折り曲げられて水平部７３を形成している。そして該水平部７３の左右両端部を上方に鉤状に折り曲げることによってキャリッジ１０の背面の左右両端部に形成されている軸受部２９、３０に当接ないし係止される２つの被当接部６８、６９を形成している。
【００４２】
次に本発明の動力伝達切替保持装置１の作動状態を図８〜図１２に基づいて（１）自動給送時、（２）記録実行時、（３）インク吸引時、（４）ワイピング及び空吸引時、（５）紙戻し時の５段階に分けて説明する。
【００４３】
（１）自動給送時（図８参照）
自動給送時は駆動モータ３１の出力軸３６を正転方向に回転させ、ピニオンギア３７と噛み合う中間ギア４０を図８（ｂ）に示すように時計方向に回転させる。中間ギア４０が時計方向に回転すると、揺動アーム５０は上方に揺動するようになり、第３ギア５３の小径ギア７１が自動給送系３２の入力ギア４３における大径ギア４１と噛み合う。また中間ギア４０の時計方向への回転は小径ギア３９から第１ギア５１、第２ギア５２、第３ギア５３へと伝達され、更に自動給送系３２の入力ギア４３、中継ギア４４、出力ギア４５へと伝わり、回転軸１８に取り付けられている給送用ローラ１４を給送方向に回転させて用紙Ｐの自動給送を実行する。
【００４４】
尚、この状態では揺動アーム５０の動きを規制する必要はなく、ホールドプレート５５は図８（ａ）に示すように左端に位置し、傾斜姿勢をとっている。そしてホールドプレート５５が傾斜姿勢をとることによってキャリッジ１０がホームポジション側から記録実行領域に移動する際、キャリッジ１０の左右両端の軸受部２９、３０が左端側の被当接部６８に当接しないようになっている。またホールドプレート５５の傾斜姿勢は２安定バネ６４によって安定保持されている。
【００４５】
（２）記録実行時（図９参照）
記録実行時も駆動モータ３１の出力軸３６は正転方向に回転し、ピニオンギア３７を介して中間ギア４０を図９（ｂ）に示すように時計方向に回転させる。従って揺動アーム５０は引き続き上方に揺動された状態を維持し、中間ギア４０の時計方向への回転は３枚の遊星ギア輪列５１、５２、５３と、自動給送系側のギア輪列４３、４４、４５を経て回転軸１８に伝達され、給送用ローラ１４及び前記搬送用ローラ１９を給送方向に回転し続ける。
【００４６】
尚、この状態でも揺動アーム５０の動きを規制する必要はなく、ホールドプレート５５は図９（ａ）に示すように左端に位置し、傾斜姿勢をとっている。そしてホールドプレート５５が傾斜姿勢をとることによってキャリッジ１０が記録実行領域を往復移動する際、キャリッジ１０の左右両端の軸受部２９、３０が左端側の被当接部６８に当接しないようにいなっている。またホールドプレート５５の傾斜姿勢は上記自動給送時と同様、２安定バネ６４によって安定保持されている。
【００４７】
（３）インク吸引時（図１０参照）
インク吸引時は、駆動モータ３１の出力軸３６を逆転方向に回転させ、ピニオンギア３７と噛み合う中間ギア４０を図１０（ｂ）に示すように反時計方向に回転させる。中間ギア４０が反時計方向に回転すると、揺動アーム５０は下方に揺動するようになり、第３ギア５３の大径ギア７０がインク吸引系３３の入力ギア４８における小径ギア４７と噛み合う。
【００４８】
次に、キャリッジ１０がホームポジション側に移動し、キャリッジ１０の右端側の軸受部３０が左端の被当接部６９に当接してホールドプレート５５を右端に移動させてホールドプレート５５を、図１０（ａ）に示すように水平姿勢にする。またホールドプレート５５が右端に向けて移動する際、揺動アーム５０と一体のホールドアーム５４の先端は下方のインク吸引系側の案内傾斜面６２に当接し、案内されて下方に移動し、図示のようにインク吸引系側の保持部５７によって上方から保持された状態になり、揺動アーム５０の動きはロックされる。そして、この状態では駆動モータ３１は正逆転可能であり、駆動モータ３１を適宜、正逆転させることによって以下の動作を実行する。
【００４９】
最初に、インク吸引装置６のキャップ７を上昇させて記録ヘッド１３のヘッド面１３ａを封止状態にする。次に、図示しない吸引ポンプを駆動させて、記録ヘッド１３の図示しないノズル孔に付着しているインクを強制吸引して除去するクリーニング動作を実行する。そして、インク吸引装置６の図示しない大気開放弁を開状態にして記録ヘッド１３のヘッド面１３ａに封止されているキャップ７内の負圧を大気圧に戻す。尚、上記ホールドプレート５５の水平姿勢は２安定バネ６４によって安定保持されている。
【００５０】
（４）ワイピング及び空吸引時（図１１参照）
ワイピング及び空吸引時も、インク吸引系側の保持部５７によって揺動アーム５０の動きは、図１１（ａ）に示すようにロックされており、揺動アーム５０は下方に揺動し、第３ギア５３の大径ギア７０がインク吸引系３３の入力ギア４８における小径ギア４７に噛み合っている状態が図１１（ｂ）に示すように維持されている。従って駆動モータ３１は正逆転可能な状態になっており、駆動モータ３１を適宜、正逆転させることによって以下の動作を実行する。
【００５１】
最初に上記クリーニング動作に先行して、あるいは上記大気圧復帰動作の後に、または上記クリーニング動作中と大気圧復帰動作中の適当な時点でワイパー８を上昇させる。次にワイパー８を上昇させたままの状態でキャップ７のみを下降させる。そしてキャリッジ１０を図１０（ａ）に示すホームポジションと図１１（ａ）に示す空吸引位置との間で数回往復移動させて、キャリッジ１０の移動中の記録ヘッド１３におけるヘッド面１３ａのワイピングと、空吸引位置での駆動モータ３１の回転による空吸引を実行する。尚、キャリッジ１０がホームポジションと空吸引位置との間を往復移動する際は図示のようにキャリッジ１０の右端側の軸受部３０は左端側の被当接部６８に当接しないように間隔が設定されており、ホールドプレート５５の水平姿勢は２安定バネ６４によって安定保持されている。
【００５２】
（５）紙戻し時（図１２参照）
用紙Ｐの給送時に重送が生じ、記録の実行に使用しない後続の用紙Ｐを給送トレイ５側に戻す際には以下の動作を実行する。この場合には、図９（ａ）の状態で駆動モータ３１を逆転させて揺動アーム５０を自動給送系３２側に揺動させ、記録実行領域に位置しているキャリッジ１０を図１２（ａ）に示すようにホームポジションに戻す。キャリッジ１０をホームポジションに戻すと、当初図９（ａ）に示すように左端で傾斜姿勢で安定保持されていたホールドプレート５５はキャリッジ１０の右端の軸受部３０によって被当接部６９が押されて右端側に移動するようになる。そして、ホールドプレート５５の右端側への移動途中、揺動アーム５０と一体のホールドアーム５４の先端が上方の自動給送系側の案内傾斜面６１に当接したときは上方に向けて案内され、自動給送系側の保持部５６に保持されて揺動アーム５０の動きはロックされる。
【００５３】
そして、上記揺動アーム５０がロックされた状態では、駆動モータ３１の回転方向を正転方向から逆転方向に切り替えることができるから駆動モータ３１を逆転方向に回転させて中間ギア４０を図１２（ｂ）に示すように反時計方向に回して３枚の遊星ギア輪列５１、５２、５３と、自動給送系３２におけるギア輪列４３、４４、４５を介して回転軸１８に取り付けられている給送用ローラ１４を給送方向と反対側に回転させる。そして給送用ローラ１４と分離手段１７との間に挟持されている重送された後続の用紙Ｐは給送用ローラ１４の逆方向の回転によって給送トレイ５側に戻される。
【００５４】
そして図１２（ａ）の状態から再び用紙Ｐの給送を実行する場合には、キャリッジ１０を記録実行領域側に移動させることによってキャリッジ１０の右端側の軸受部３０が左端側の被当接部６８に当接し、ホールドプレート５５を左端に移動させ、２安定バネ６４のバネ力によって傾斜姿勢にし、上記図８に示す自動給送時の動作を実行する。
【００５５】
［他の実施例］
本願発明に係る動力伝達切替保持装置１及び該動力伝達切替保持装置１を備えた記録装置１００等は、以上述べたような構成を基本とするものであるが、本願発明の要旨を逸脱しない範囲内の部分的構成の変更や省略等を行なうことも勿論可能である。例えば、本発明の動力伝達切替保持装置１は、インクジェットプリンタ１００における自動給送系３２とインク吸引系３３の２つの駆動系の切り替えに使用する場合に限らず、任意の液体噴射装置あるいは液体噴射装置以外の任意の電子機器における任意の複数の駆動系に適用することが可能である。また規制部材であるホールドプレート５５を動作させる既存の他の駆動部はキャリッジ１０の軸受部２９、３０に限らず、キャリッジ１０の他の部位であっても構わないし、キャリッジ１０以外の既存の他の駆動部であっても構わない。
【図面の簡単な説明】
【００５６】
【図１】インクジェットプリンタの内部構造の概略を示す側断面図。
【図２】動力伝達切替保持装置の全体の構成を示す斜視図。
【図３】動力伝達切替え手段周辺を拡大して示す斜視図。
【図４】インク吸引系駆動時の動力伝達切替え手段を示す側断面図。
【図５】自動給送系駆動時の動力伝達切替え手段を示す側断面図。
【図６】動力伝達保持手段を示す正面図。
【図７】動力伝達保持手段を示す背面図。
【図８】自動給送時の動力伝達切替保持装置の作動状態を示す正面図（ａ）と側断面図（ｂ）。
【図９】記録実行時の動力伝達切替保持装置の作動状態を示す正面図（ａ）と側断面図（ｂ）。
【図１０】インク吸引時の動力伝達切替保持装置の作動状態を示す正面図（ａ）と側断面図（ｂ）。
【図１１】ワイピング及び空吸引時の動力伝達切替保持装置の作動状態を示す正面図（ａ）と側断面図（ｂ）である。
【図１２】紙戻し時の動力伝達切替保持装置の作動状態を示す正面図（ａ）と側断面図（ｂ）。
【図１３】クラッチ機構を使用した従来の動力伝達切替装置を示す非連結時の側断面図。
【図１４】クラッチ機構を使用した従来の動力伝達切替装置を示す連結時の側断面図。
【符号の説明】
【００５７】
１  動力伝達切替保持装置、２  自動給送装置、３  プリンタ本体（記録装置本体）、５  給送用トレイ、６  インク吸引装置、７  キャップ、８  ワイパー、１０  キャリッジ、１３  記録ヘッド、１３ａ  ヘッド面、１４  給送用ローラ、１６  ホッパ、１７  分離手段、１８  回転軸、１９  搬送用ローラ、２０  排出用ローラ、２６  記録ポジション、２８  プラテン、２９  軸受部、３０  軸受部、３１  駆動モータ（駆動源）、３２  自動給送系（駆動系）、３３  インク吸引系（駆動系）、３４  動力伝達切替え手段、３５  動力伝達保持手段、３６  出力軸、３７  ピニオンギア、３８  大径ギア、３９  小径ギア、４０  中間ギア、４１  大径ギア、４２  小径ギア、４３  入力ギア、４４  中継ギア、４５  出力ギア、４６  大径ギア、４７  小径ギア、４８  入力ギア、５０  揺動アーム、５１  第１ギア（遊星ギア）、５２  第２ギア（遊星ギア）、５３  第３ギア（遊星ギア）、５４  ホールドアーム、５５  ホールドプレート（規制部材）、５６  （自動給送系側の）保持部、５７  （インク吸引系側の）保持部、５８  支持プレート、５９  係合ピン、６０  係合ピン、６１  案内傾斜面、６２  案内傾斜面、６３  フック部、６４  ２安定バネ、６５  連結板、６６  係合長穴、６７  係合長穴、６８  被当接部、６９  被当接部、７０  大径ギア、７１  小径ギア、１００  インクジェットプリンタ（記録装置）、Ｐ  用紙（被記録材）、ＰＧ  ギャップ、Ｏ  揺動支点
【図１】
2008173940.tif 000003
【図２】
2008173940.tif 000004
【図３】
2008173940.tif 000005
【図４】
2008173940.tif 000006
【図５】
2008173940.tif 000007
【図６】
2008173940.tif 000008
【図７】
2008173940.tif 000009
【図８】
2008173940.tif 000010
【図９】
2008173940.tif 000011
【図１０】
2008173940.tif 000012
【図１１】
2008173940.tif 000013
【図１２】
2008173940.tif 000014
【図１３】
2008173940.tif 000015
【図１４】
2008173940.tif 000016